(57)【要約】【課題】ユーザーが所望するゲイン値で自動ボリューム制御を行う。【解決手段】装置の外部から音声データがＡ／Ｄ変換器１０１によりデジタルデータになって入力されると、そのゲインがゲイン検出部１０２によって検出され、予めユーザーにより設定されたゲインとの差分がＣＰＵ１０３により算出される。ＣＰＵ１０３はこの算出されたゲインの差分がゼロになるように前記入力される音声データのゲインをＶＯＬ調整部１０６を制御して調整し、このゲイン調整された音声データを音声録音用ＤＳＰ１０７を介してメモリ１０５に記憶する。【選択図】  図１
2004219946.tif 000002
【特許請求の範囲】
【請求項１】
音声データをメモリに記憶する音声録音システムにおいて、
ユーザーにより入力されたゲインを設定するゲイン設定手段と、
入力される音声データのゲインを検出する検出手段と、
前記設定されたゲインと前記検出されたゲインとの差分を算出する演算手段と、
前記算出されたゲインの差分に基づいて入力される音声データのゲインを調整するゲイン調整手段と、
前記ゲイン調整された音声データを前記メモリに記憶する録音手段と、
を備えることを特徴とする音声録音システム。
【請求項２】
入力されるアナログ音声データをデジタル音声データに変換するＡ／Ｄ変換手段を設け、前記検出手段は、前記変換されて得られるデジタル音声データのゲインを検出することを特徴とする請求項１に記載の音声録音システム。
【請求項３】
音声データをメモリに記憶する音声録音システムにおいて、
ユーザーにより入力されたゲインを設定するゲイン設定手段と、
前記メモリに予め記憶してある音声データを再生する音声再生手段と、
前記再生された音声データのゲインを検出する検出手段と、
前記設定されたゲインと前記検出されたゲインとの差分を算出する演算手段と、
前記算出されたゲインの差分に基づいて前記再生音声データのゲインを調整するゲイン調整手段と、
前記ゲイン調整された音声データを前記メモリに記憶する録音手段と、
を備えることを特徴とする音声録音システム。
【請求項４】
音声データをメモリに記憶する音声録音システムにおいて、
ユーザーにより入力されたゲインを設定するゲイン設定手段と、
前記メモリに予め記憶してある音声データを再生する音声再生手段と、
前記再生された音声データを外部に出力するか或いは前記検出手段に出力するかを選択する選択手段と、
外部から音声データを入力する入力手段と、
前記外部から入力される音声データ及び前記再生音声データのいずれか一方のゲインを検出する検出手段と、
前記設定されたゲインと前記検出されたゲインとの差分を算出する演算手段と、
前記算出されたゲインの差分に基づいて前記外部から入力される音声データ及び前記再生音声データのいずれか一方のゲインを調整するゲイン調整手段と、
前記ゲイン調整された音声データを前記メモリに記憶する録音手段と、
を備えることを特徴とする音声録音システム。
【請求項５】
音声データをメモリに記憶する動作をコンピュータに実行させる音声録音プログラムを記録した記録媒体において、
ユーザーにより入力されたゲインを設定するゲイン設定ステップと、
入力される音声データのゲインを検出する検出ステップと、
前記設定されたゲインと前記検出されたゲインとの差分を算出する演算ステップと、
前記算出されたゲインの差分に基づいて入力される音声データのゲインを調整するゲイン調整ステップと、
前記ゲイン調整された音声データを前記メモリに記憶する録音ステップとをコンピュータに実行させるためのコンピュータ読取り可能なプログラムを有することを特徴とする音声録音プログラムを記録した記録媒体。
【請求項６】
ユーザーにより入力されたゲインを設定するゲイン設定機能と、
入力される音声データのゲインを検出する検出機能と、
前記設定されたゲインと前記検出されたゲインとの差分を算出する演算機能と、
前記算出されたゲインの差分に基づいて入力される音声データのゲインを調整するゲイン調整機能と、
前記ゲイン調整された音声データを前記メモリに記憶する録音機能とをコンピュータに実現させることを特徴とする音声録音プログラム。
【請求項７】
無線通信により音声データを送受する無線通信端末において、
請求項１から４のいずれか一項に記載の音声録音システムを搭載し、受信した音声データを前記音声録音システムにより録音することを特徴とする無線通信端末。
【発明の詳細な説明】
【０００１】
【発明の属する技術分野】
本発明は、音声レベルを所定のレベルに調整して録音する音声録音システムに関するものである。
【０００２】
【従来の技術】
従来の音楽再生装置におけるボリューム制御としてはデジタルオーディオ（音声）データのオーバーフローを検出し、ビットシフト動作を行うことによりボリューム調整を自動的に行っている。（特許文献１参照）
【０００３】
【特許文献１】
特開２００２−４３８７４号公報  （第８頁、第１図）
【０００４】
【発明が解決しようとする課題】
従来の音楽再生装置におけるボリューム制御はデジタルオーディオデータのオーバーフローのみを検出し、その値によってゲインを制御するという方法をとっていたが、ユーザーの所望のゲイン値に関して自動ボリューム制御ができないという課題があった。さらに音声録音システムにおいて様々なアナログ入力データを録音する際（例えば携帯電話の音声メモ機能で音声録音する際）、アナログ入力データのゲインが異なるため、そのまま録音すると録音データのゲインが入力データのゲインによって左右される。もしゲインを調整しようとすると、ユーザーが入力音声ごとに手動でボリューム調整を行う必要があるという課題があった。
【０００５】
本発明は、上記の課題に鑑みてなされたもので、ユーザーが所望するゲイン値で自動ボリューム制御を行うことができる音声録音システムを提供することを目的とする。また、録音データのレベルを所望のゲイン値で再録音することができる音声録音システムを提供することを目的とする。
【０００６】
【課題を解決するための手段】
請求項１の音声録音システムは、音声データをメモリに記憶する音声録音システムにおいて、ユーザーにより入力されたゲインを設定するゲイン設定手段と、入力される音声データのゲインを検出する検出手段と、前記設定されたゲインと前記検出されたゲインとの差分を算出する演算手段と、前記算出されたゲインの差分に基づいて入力される音声データのゲインを調整するゲイン調整手段と、前記ゲイン調整された音声データを前記メモリに記憶する録音手段とを備える。
【０００７】
上記構成によれば、装置の外部から音声データが入力されるとそのゲインが検出されて予めユーザーにより設定されたゲインとの差分が算出され、この算出されたゲインの差分がゼロになるように前記入力される音声データのゲインを調整してメモリに記憶することにより、ユーザーの所望のゲイン値で自動ボリューム制御を行うことができる。
【０００８】
請求項２の音声録音システムは、請求項１記載の音声録音システムにおいて、入力されるアナログ音声データをデジタル音声データに変換するＡ／Ｄ変換手段を設け、前記検出手段は、前記変換されて得られるデジタル音声データのゲインを検出することを特徴とする。
【０００９】
上記構成によれば、入力されるアナログ音声データをデジタル音声データに変換して入力することができるため、本装置に各種のアナログ音声出力の機器を接続して広範な機器の音声出力をユーザーの所望のゲイン値で自動ボリューム制御して録音することができる。
【００１０】
請求項３の音声録音システムは、音声データをメモリに記憶する音声録音システムにおいて、ユーザーにより入力されたゲインを設定するゲイン設定手段と、前記メモリに予め記憶してある音声データを再生する音声再生手段と、前記再生された音声データのゲインを検出する検出手段と、前記設定されたゲインと前記検出されたゲインとの差分を算出する演算手段と、前記算出されたゲインの差分に基づいて前記再生音声データのゲインを調整するゲイン調整手段と、前記ゲイン調整された音声データを前記メモリに記憶する録音手段とを備える。
【００１１】
上記構成によれば、何らかの手段により予めメモリに記憶されている音声データを再生してそのゲインを検出し、検出したゲインと予めユーザーにより設定されたゲインとの差分がゼロになるように前記再生音声データのゲインを調整して再度メモリに記憶することにより、録音データのゲインをユーザーの所望のゲイン値で再録音することができる。
【００１２】
請求項４の音声録音システムは、音声データをメモリに記憶する音声録音システムにおいて、ユーザーにより入力されたゲインを設定するゲイン設定手段と、前記メモリに予め記憶してある音声データを再生する音声再生手段と、前記再生された音声データを外部に出力するか或いは前記検出手段に出力するかを選択する選択手段と、外部から音声データを入力する入力手段と、前記外部から入力される音声データ及び前記再生音声データのいずれか一方のゲインを検出する検出手段と、前記設定されたゲインと前記検出されたゲインとの差分を算出する演算手段と、前記算出されたゲインの差分に基づいて前記外部から入力される音声データ及び前記再生音声データのいずれか一方のゲインを調整するゲイン調整手段と、前記ゲイン調整された音声データを前記メモリに記憶する録音手段とを備える。
【００１３】
上記構成によれば、装置の外部からの音声データか或いは、予めメモリに記憶されている音声データの再生音声データが入力されると、そのゲインが検出されて予めユーザーにより設定されたゲインとの差分が算出され、この算出されたゲインの差分がゼロになるように前記入力される音声データ或いは再生音声データのゲインが調整されてメモリに記憶することにより、ユーザーの所望のゲイン値で自動ボリューム制御を行うことができる。また、録音データのゲインをユーザーの所望のゲイン値で再録音することができる。
【００１４】
【発明の実施の形態】
以下、本発明の実施の形態について図面を参照して詳細に説明する。
（実施の形態１）
図１は、本発明の第１の実施の形態に係る音声録音システムの構成を示したブロック図である。
【００１５】
図１において、音声録音システムは、Ａ／Ｄ変換器１０１と、ゲイン検出部１０２と、ボリューム（ＶＯＬ）調整部１０６と、音声録音用ＤＳＰ１０７と、ＣＰＵ１０３と、ユーザーゲイン値入力手段であるボリュームキー（ＶＯＬ  ＫＥＹ）１０４と、メモリ１０５を有している。
【００１６】
次に本実施の形態の動作について説明する。音声アナログデータ（ＡＩＮ）１００がＡ／Ｄ変換器１０１に入力されると、ここで音声デジタルデータ（単に音声データと称することがある）に変換される。変換された音声デジタルデータはゲイン検出部１０２に入力され、このゲイン検出部１０２で入力データのゲイン（以降ゲイン検出値と記す）が求められ、求められたゲイン値がＣＰＵ１０３に通知される。
【００１７】
また、ボリュームキー１０４はユーザーによりゲイン値が入力される手段であり（ユーザーゲイン値入力手段で入力された値をユーザーゲイン値と記す）、メモリ１０５はユーザーゲイン値と、ゲイン検出値及びユーザーゲイン値からゲイン検出値を減算した値（以降ゲイン変化量と記す）と、音声データを格納する。ＶＯＬ調整部１０６はＣＰＵ１０３によって制御することが可能なボリューム調整回路である。更に、音声録音用ＤＳＰ１０７はＶＯＬ調整部１０６で調整された音声データを処理して録音用にフォーマット化された音声データとする。
【００１８】
次にゲイン検出部１０２の構成について図２を参照して説明する。２００はゲイン検出部１０２の中のメモリであり、ある時間の音声デジタルデータのサンプルが格納できるようになっている。ある時間とは、例えば８ｋＨｚサンプリング周期（１２５マイクロ秒周期）であったり、または前記周期のＮ倍の時間を示す。２０１はある時間の音声サンプルデータを示す。ここでは８ビットの音声サンプルを例にとって考える。２０２は２０１の次の時間の音声サンプルであり、２０３は２０１からｔ時間遅れた音声サンプルとする。
【００１９】
また２０４は２０１、２０２、２０３の音声サンプルのＭＳＢビット、即ちビット７である。２０５は２０１、２０２、２０３の音声サンプルのビット６、２０６は２０１、２０２、２０３の音声サンプルのビット５、２０７は２０１、２０２、２０３の音声サンプルのビット４、２０８は２０１、２０２、２０３の音声サンプルのビット３、２０９は２０１、２０２、２０３の音声サンプルのビット２、２１０は２０１、２０２、２０３の音声サンプルのビット１、２１１は２０１、２０２、２０３の音声サンプルのビット０である。
【００２０】
次にゲイン検出部１０２のゲイン検出方法について図３のフローチャートを参照して説明する。ステップ３００にて、Ａ／Ｄ変換器１０１からの出力データをある時間分ゲイン検出部１０２のメモリ２００に格納する。次にステップ３０１にて、初期サンプル（Ｎ＝１）とする。ステップ３０２にて、Ｎサンプル目（Ｎ＝１のときは２０１）のＭＳＢビットのデータ２０４を読み込んで初期値とする。ステップ３０３にて、次のビット（ビット７の次はビット６）のデータを読み込む。
【００２１】
ステップ３０４にて、初期値とステップ３０３で読み込んだデータが一致しているかどうかを判定する。データが一致しているＹＥＳの場合はステップ３０５に遷移する。データが一致していないＮＯの場合はステップ３０６に遷移する。次にステップ３０５にて全ビットの読み込みが終了しているかどうかの判定をする（８ビットのサンプリングデータの場合、ビット０である）。その結果、読み込みが終了しているＹＥＳの場合はステップ３０６に遷移し、読み込みが終了していないＮＯの場合はステップ３０２に遷移する。ステップ３０６にて今回のゲイン値を記録する。
【００２２】
次にステップ３０７にて、前回のゲイン値と今回のゲイン値を比較し、今回のゲイン値が大きい場合はステップ３０８に遷移する。また今回のゲイン値が小さい場合はステップ３０９に遷移する。ステップ３０８にてゲイン値を更新する。ステップ３０９にて、次サンプル（Ｎ＝Ｎ＋１）とする。ステップ３１０にて、全サンプルが終了したかどうかを判定する。全サンプルが終了したＹＥＳの場合ステップ３１１に遷移する。全サンプルが終了していないＮＯの場合ステップ３０２にて遷移する。ステップ３１１にて検出されたゲイン値をＣＰＵ１０３へ通知する。
【００２３】
次にＶＯＬ調整部１０６の自動ボリューム調整方法について図４のフローチャートを参照して説明する。ステップ４００にて、ユーザーはＶＯＬ  ＫＥＹ（ユーザーゲイン値入力手段）１０４よりユーザーゲイン値を入力する。ステップ４０１にて、ＣＰＵ１０３は入力されたユーザーゲイン値をメモリ１０５に格納する。ステップ４０２にて、Ａ／Ｄ変換器１０１から出力されデジタル音声データのゲインをゲイン検出部１０２で検出する。
【００２４】
ステップＳ４０３にて、ＣＰＵ１０３はゲイン検出値をメモリ１０５に格納する。ステップ４０４にて、ＣＰＵ１０３はユーザーゲイン値とゲイン検出値を計算してゲイン変化量を求め、これをメモリ１０５に格納する。次にステップ４０５にて、前回のゲイン変化量と同じかどうかを判定する。ゲイン変化量が同じの場合（ＹＥＳ）は、ボリューム変化量はなしとしてゲイン制御は実施せずにステップ４０７に遷移する。
【００２５】
一方、ゲイン変化量が異なる場合、ステップ４０６に遷移し、ここでＣＰＵ１０３はゲイン変化量分のボリューム制御をする（ＶＯＬ調整部１０６を制御する）。ステップ４０７にて、音声録音用ＤＳＰ１０７はボリューム制御後の音声データに対して音声録音処理を行う。ステップ４０８にて、ＣＰＵ１０３は音声録音処理によって得られた音声録音用にフォーマット化された音声データをメモリ１０５に格納する。
【００２６】
ここで、次の音声サンプルデータがあればステップ４００からステップ４０８の処理を繰り返し実行し、次の音声サンプルデータがなければ終了処理へ遷移する。
【００２７】
次に、ユーザーゲイン値とゲイン検出値とゲイン変化量と音声録音データを格納するメモリ１０５について図５を参照して説明する。図５で示した５００はメモリで図１のメモリ１０５と等価である。５０１は音声記録（メモ）した際の１件目のユーザーゲイン値５０４、ゲイン検出値５０５、ゲイン変化量が格納されるメモリ領域である。また同様に５０２は音声メモした際の２件目のユーザーゲイン値５０４、ゲイン検出値５０５、ゲイン変化量が格納されるメモリ領域である。また同様に５０３は音声メモした際の３件目のユーザーゲイン値５０４、ゲイン検出値５０５、ゲイン変化量が格納されるメモリ領域である。また音声録音されたデータは５０７の音声録音データ格納メモリ領域に格納される。
【００２８】
１件目の録音について図５を使用して説明する。１件目のユーザーゲイン値が−２０ｄＢのとき５０４にユーザーゲイン値格納メモリ領域に−２０ｄＢの値が格納される。さらにゲイン検出部１０２で検出したゲイン値がＣＰＵ１０３に通知された際にＣＰＵ１０３はゲイン検出値格納メモリ５０５に−１４ｄＢの値を格納する。
【００２９】
そしてＣＰＵ１０３はユーザーゲイン値からゲイン検出値を減算し、ゲイン変化格納メモリ領域５０６に−６ｄＢを格納する。−６ｄＢのゲイン変化量が必要なので入力音声デジタルデータに対してＶＯＬ調整部１０６で−６ｄＢ分の乗算を行い、この乗算後の音声データを音声録音用ＤＳＰ１０７に入力する。
【００３０】
音声録音用ＤＳＰ１０７は入力データに対して音声録音処理を施し、ＣＰＵ１０３に処理後のデータを渡す。そしてＣＰＵ１０３は渡された音声録音様にフォーマット化された音声データをメモリ領域５０７に格納する。
【００３１】
本実施の形態の音声録音システムによれば、入力音声データのゲインを検出して、検出したゲイン検出値をＣＰＵ１０３へ通知することができるため、ＣＰＵ１０３はゲイン検出値とユーザーゲイン値からゲイン変化量を計算し、その計算結果に基づいてＶＯＬ調整部１０６を制御して、ゲイン調整した音声データを音声録音用ＤＳＰ１０７を通してメモリ１０５に格納することにより、ユーザー所望のゲイン値で音声録音することができる。
【００３２】
（実施の形態２）
図６は本発明の第２の実施の形態に係る音声録音システムの構成を示したブロック図である。図６において、音声録音システムは、入力される音声アナログデータをデジタルデータに変換するＡ／Ｄ変換器６０１と、ゲイン検出部６０２と、ＣＰＵ６０３と、ＶＯＬ  ＫＥＹ（ユーザーゲイン値入力手段）６０４と、ユーザーゲイン値とゲイン検出値とゲイン変化量と音声録音データを格納するメモリ６０５と、ＣＰＵ６０３の制御によってボリューム調整することが可能なＶＯＬ調整部６０６と、ボリューム調整された音声データを録音する音声録音用ＤＳＰ６０７と、一度録音されたデータを再生するための音声再生用ＤＳＰ６０８と、再生デジタルデータと入力デジタルデータのいずれかを選択するデータパスセレクタ６０９と、再生デジタルデータをアナログデータ６１１に変換するためのＤ／Ａ変換器６１０を有している。
【００３３】
なお、本実施の形態は第１の実施形態の構成に音声再生用ＤＳＰ６０８、データパスセレクタ６０９、Ｄ／Ａ変換器６１０を追加し、メモリ６０５に記憶されている音声録音データを再生してユーザーが期待するゲインへ自動調整して音声録音するものである。
【００３４】
図７はメモリ６０５のメモリ領域の構成例を示した模式図である。図７において、７００はメモリを示し、図６に示したメモリ６０５と等価である。７０１は予め音声メモした際の１件目のユーザーゲイン値７０４、ゲイン検出値７０５、ゲイン変化量７０６が格納されるメモリ領域である。また同様に７０２は音声メモした際の２件目のユーザーゲイン値７０４、ゲイン検出値７０５、ゲイン変化量７０６が格納されるメモリ領域である。また同様に７０３は音声メモした際の３件目のユーザーゲイン値７０４、ゲイン検出値７０５、ゲイン変化量７０６が格納されるメモリ領域である。
【００３５】
また１件目に音声録音されたデータは７０７の音声録音データ格納メモリ領域に格納される。また１件目の録音されたデータのゲインを変化させたデータの格納先即ち、２件目の録音データの格納先を７０８とする。また３件目の録音データの格納先を７０９とする。
【００３６】
次に本実施の形態で予め録音してあるデータのゲインを変えたい場合の動作について図８のフローチャートを参照して説明する。予め音声録音データが１件目メモリ７０７に格納されているとする。１件目メモリに格納されている音声録音データを再生するために、ステップ８００にて、ＣＰＵ６０３はデータパスセレクタ６０９をＤ／Ａ変換器６１０側にセレクトする。次にステップ８０１にて、ＣＰＵ６０３は音声録音データを１件目メモリ領域７０７から取り出し、音声再生用ＤＳＰ６０８へ送信し、処理した音声データをＤ／Ａ変換器６１０によりアナログデータに変換し、これをＡＯＵＴ６１１として出力する。
【００３７】
ここで再生音が小さかった場合、ユーザーはステップ８０２にて、ユーザーゲイン値入力手段６０４によりユーザーゲイン値を入力する（例えば−２８ｄＢ）。ＣＰＵ６０３はステップ８０３にて入力されたユーザーゲイン値を２件目メモリ領域７０４に格納し、ステップ８０４にて、データパスセレクタ６０９をゲイン検出部６０２側にセレクトする。
【００３８】
次にＣＰＵ６０３はステップ８０５にて、音声録音データを１件目メモリ領域７０７から取り出して音声再生用ＤＳＰ６０８へ入力し、ここで再生処理された音声データをゲイン検出部６０２へ出力して、ゲイン検出させる。ＣＰＵ６０３はステップ８０６にて、ゲイン検出部６０２で検出されたゲイン検出値を２件目メモリ領域７０５に格納する（例えば−２０ｄＢ）。
【００３９】
ＣＰＵ６０３はステップ８０７にて、ユーザーゲイン値と、ゲイン検出値とからゲイン変化量を計算して２件目のメモリ領域７０６に格納する（−８ｄＢ）。次にＣＰＵ６０３はステップ８０８にて、ゲイン変化量分のボリューム制御をする（ＶＯＬ調整部６０６を制御する）。
【００４０】
次にステップ８０９にて、音声録音用ＤＳＰ６０７は音声録音処理を行なう。ＣＰＵ６０３はステップ８１０にて、音声録音データを２件目メモリ７０８に格納する。ここで、次の音声サンプルデータがあればステップ８００からステップ８１０の処理を繰り返し実行し、次の音声サンプルデータがなければ終了処理へ遷移する。
【００４１】
本実施の形態によれば、既に記憶されている音声録音データを再生し、これをユーザーが期待するゲインへ自動調整し再録音することができる。
【００４２】
なお、本実施の形態のＶＯＬ調整部６０６をＣＰＵ６０３により図４に示した第１の実施の形態と同様の自動ボリューム調整方法を用いて制御することにより、ユーザーゲイン値に入力データを補正する機能を持たせれば、メモリ６０５に予め記憶されている音声録音データを再生してユーザーが期待するゲインへ自動調整して再録音することができると共に、第１の実施の形態と同様に入力される音声データ（ＡＩＮ）６００をユーザー所望のゲイン値で音声録音することができる。
【００４３】
（実施の形態３）
図９は本発明の第３の実施の形態に係る音声録音システムの構成を示したブロック図である。図９において、音声録音システムは、アナログ音声信号９００を入力してデジタル音声データに変換するＡ／Ｄ変換器９０１と、ゲイン検出部９０２と、ＣＰＵ９０３と、ＶＯＬ  ＫＥＹ（ユーザーゲイン値入力手段）９０４と、ユーザーゲイン値とゲイン検出値とゲイン変化量と音声録音データを格納するメモリ９０５と、ＣＰＵ９０３によりボリューム調整することが可能なＶＯＬ調整部９０６と、ボリューム調整された音声データを録音する音声録音用ＤＳＰ９０７とを有し、その構成は図１に示した第１の実施の形態と同様の構成であるが、異なる所は、ＣＰＵ９０３に自動ボリューム調整機能を実行させる制御プログラムを記録し、この制御プログラムをＣＰＵ９０３に供給する記録媒体９０８を備えているところにある。
【００４４】
本実施の形態によれば、自動ボリューム調整機能を実行する制御プログラムを記録した記録媒体９０８によって、前記制御プログラムをＣＰＵ９０３に供給することにより、入力されるアナログ音声データのゲインに拘らずデータをユーザー所望のゲインに自動調整して、メモリ９０５に記憶することができる。
【００４５】
（実施の形態４）
図１０は本発明の第４の実施の形態に係る携帯電話機の構成を示したブロック図である。本例では、携帯電話機の音声メモ機能として上記実施の形態で示した音声録音システムを用いた場合について説明する。
【００４６】
図１０において、携帯電話機１０１７は、アナログ音声信号（ＡＩＮ）１０００を入力してデジタル音声データに変換するＡ／Ｄ変換器１００１、ゲイン検出部１００２、ＣＰＵ１００３、ＶＯＬ  ＫＥＹ（ユーザーゲイン値入力手段）１００４、ユーザーゲイン値とゲイン検出値とゲイン変化量と音声録音データを格納するメモリ１００５と、ＣＰＵ１００３によりボリューム調整することが可能なＶＯＬ調整部１００６、ボリューム調整された音声データを録音する音声録音用ＤＳＰ１００７、一度録音されたデータを再生するための音声再生用ＤＳＰ１００８、再生デジタルデータをＤ／Ａ変換器１０１０とゲイン検出部１００２のいずれかに入力するデータパスセレクタ１００９、音声再生用１００８からの再生デジタルデータをアナログデータに変換してアナログ音声データ１０１１を出力するＤ／Ａ変換器１０１０、ベースバンド部１０１２、無線ＲＦ部１０１３、アンテナ１０１４、マイク１０１５、スピーカ１０１６を有している。１０１８は他局の携帯電話機である。
【００４７】
次に本実施の形態の動作について説明する。携帯電話機１０１７は他局の携帯電話機１０１８から送信された音声データをアンテナ１０１４及び無線ＲＦ部１０１３で受信し、得られたＲＦ信号をベースバンド部１０１２でベースバンド信号にしてから復調し、復調された音声データはＣＰＵ１００３によりメモリ１００５に格納される。
【００４８】
その後、メモリ１００５に格納された音声データを図６に示した第２の実施の形態と同様に、音声再生用ＤＳＰ１００８を用いて再生させたときに、音声のゲイン値が高かったり、低かったりした場合には、再生データをデータパスセレクタ１００９を使用してゲイン検出部１００２、ＶＯＬ調整部１００６側に入力することにより、ユーザー所望のゲインをもった音声録音データをメモリ１００５に格納することができる。
【００４９】
本実施の形態によれば、他局の携帯電話機１０１８からの音声データを自局の携帯電話機１０１７で自動ボリューム調整してユーザー所望のゲインをもった音声データとして録音することができる。
【００５０】
【発明の効果】
以上説明したように請求項１、５、６の発明によれば、装置の外部から音声データが入力されるとそのゲインが検出されて予めユーザーにより設定されたゲインとの差分が算出され、この算出されたゲインの差分がゼロになるように前記入力される音声データのゲインを調整してメモリに記憶することにより、ユーザーの所望のゲイン値で自動ボリューム制御を行うことができる。従って、録音データのゲインが入力データのゲインによって左右されず、前記所望のゲイン値で録音することができる。
【００５１】
請求項３の発明によれば、何らかの手段により予めメモリに記憶されている音声データを再生してそのゲインを検出し、検出したゲインと予めユーザーにより設定されたゲインとの差分がゼロになるように前記再生音声データのゲインを調整して再度メモリに記憶することにより、録音データのゲインをユーザーの所望のゲイン値で再録音することができる。
【００５２】
請求項４の発明によれば、装置の外部からの音声データか或いは、予めメモリに記憶されている音声データの再生音声データが入力されると、そのゲインが検出されて予めユーザーにより設定されたゲインとの差分が算出され、この算出されたゲインの差分がゼロになるように前記入力される音声データ或いは再生音声データのゲインが調整されてメモリに記憶することにより、ユーザーの所望のゲイン値で自動ボリューム制御を行うことができる。従って、録音データのゲインが入力データのゲインによって左右されず、前記所望のゲイン値で録音することができる。また、録音データのゲインをユーザーの所望のゲイン値で再録音することができる。
【００５３】
請求項７の発明によれば、受信した音声データのゲインを検出して予めユーザーにより設定されたゲインとの差分を算出し、この算出したゲインの差分がゼロになるように、前記受信音声データのゲインを調整してメモリに記憶することにより、ユーザーの所望のゲイン値で受信データを無線通信端末に自動的に録音することができる。
【図面の簡単な説明】
【図１】本発明の第１の実施の形態に係る音声録音システムの構成を示したブロック図。
【図２】図１に示したゲイン検出部の構成を示した模式図。
【図３】図１に示したゲイン検出部のゲイン検出手順を示したフローチャート。
【図４】図１に示したＶＯＬ調整部の制御手順を示したローチャート。
【図５】図１に示したメモリのメモリ領域構成を示した模式図。
【図６】本発明の第２の実施の形態に係る音声録音システムの構成を示したブロック図。
【図７】図６に示したメモリのメモリ領域構成を示した模式図。
【図８】予め録音してあるデータのゲインを変更して再録音する動作手順を示したフローチャート。
【図９】本発明の第３の実施の形態に係る音声録音システムの構成を示したブロック図。
【図１０】本発明の第４の実施の形態に係る携帯電話機の構成を示したブロック図。
【符号の説明】
１０１、６０１、９０１、１００１  Ａ／Ｄ変換器
１０２、６０２、９０２、１００２  ゲイン検出部
１０３、６０３、９０３、１００３  ＣＰＵ
１０４、６０４、９０４、１００４  ＶＯＬ  ＫＥＹ（ユーザーゲイン値入力手段）
１０５、６０５、９０５、１００５  メモリ
１０６、６０６、９０６、１００６  ボリューム（ＶＯＬ）調整部
１０７、６０７、９０７、１００７  音声録音用ＤＳＰ
６０８、１００８  音声再生用ＤＳＰ
６０９、１００９  データパスセレクタ
６１０、１０１０  Ｄ／Ａ変換器
９０８  記録媒体
１０１２  ベースバンド部
１０１３  無線ＲＦ部
１０１４  アンテナ
１０１５  マイク
１０１６  スピーカ
１０１７、１０１８  携帯電話機
【図１】
2004219946.tif 000003
【図２】
2004219946.tif 000004
【図３】
2004219946.tif 000005
【図４】
2004219946.tif 000006
【図５】
2004219946.tif 000007
【図６】
2004219946.tif 000008
【図７】
2004219946.tif 000009
【図８】
2004219946.tif 000010
【図９】
2004219946.tif 000011
【図１０】
2004219946.tif 000012